(57)【要約】  【課題】  使用勝手の良い多機能対応型シャワを提供することである。  【解決手段】  上シャワ３と、複数の吐出部４を有するシャワ群５と、シャワホース６ａおよびシャワヘッド６ｂよりなるハンドシャワ６とを備えた中空の柱体２が、水栓本体１０上に設置されるか、または、この水栓本体１０から離れた位置に設置されるよう構成されている多機能対応型シャワ１であって、水栓本体供給流路Ａに連通する上シャワ供給流路Ｂ、吐出部供給流路Ｃおよびハンドシャワ供給流路Ｄの少なくとも三つの供給流路を前記柱体２の内部に有するとともに、上シャワ供給流路Ｂおよび吐出部供給流路Ｃと水栓本体供給流路Ａとを連通させる状態と、吐出部供給流路Ｃと水栓本体供給流路Ａを連通させる状態と、ハンドシャワ供給流路Ｄと水栓本体供給流路Ａを連通させる状態と、上シャワ供給流路Ｂと水栓本体供給流路Ａを連通させる状態とに切換可能な流路切換手段７を備えている。  【選択図】  図２
2005066153.tif 000002
【特許請求の範囲】
【請求項１】
上シャワと、複数の吐出部を有するシャワ群と、シャワホースおよびシャワヘッドよりなるハンドシャワとを備えた中空の柱体が、水栓本体上に設置されるか、または、この水栓本体から離れた位置に設置されるよう構成されている多機能対応型シャワであって、水栓本体供給流路に連通する上シャワ供給流路、吐出部供給流路およびハンドシャワ供給流路の少なくとも三つの供給流路を前記柱体の内部に有するとともに、上シャワ供給流路および吐出部供給流路と水栓本体供給流路とを連通させる状態と、吐出部供給流路と水栓本体供給流路を連通させる状態と、ハンドシャワ供給流路と水栓本体供給流路を連通させる状態と、上シャワ供給流路と水栓本体供給流路を連通させる状態とに切換可能な流路切換手段を備えていることを特徴とする多機能対応型シャワ。
【請求項２】
前記水栓本体供給流路は、前記水栓本体の吐出口と前記流路切替手段の上流側をつなぐ適宜長さの可撓性のホースによって形成されている請求項１に記載の多機能対応型シャワ。
【請求項３】
前記流路切換手段は、前記上シャワ供給流路、吐出部供給流路およびハンドシャワ供給流路の上流端にそれぞれ切換可能に連通する連通穴を有するシート部材と、前記三つの連通穴を流路切替に応じて閉塞する三つのボールを有する弁体とから構成されており、また、前記可撓性のホースの下流端は前記三つの連通穴の上流側に常時連通されている一方、前記可撓性のホースの上流端は、前記水栓本体の吐出口に着脱自在に接続されている請求項１または請求項２に記載の多機能対応型シャワ。
【請求項４】
前記柱体は、壁面に支持された状態で水栓本体上に設置される請求項１ないし請求項３のいずれかに記載の多機能対応型シャワ。
【請求項５】
前記柱体は、床面に載置されたスタンドに支持された状態で水栓本体から離れた位置に設置される請求項１ないし請求項３のいずれかに記載の多機能対応型シャワ。
【発明の詳細な説明】
【技術分野】
【０００１】
この発明は、多機能対応型シャワに関する。
【背景技術】
【０００２】
本出願人は、切換ハンドルを操作してシャワホースおよびシャワヘッドよりなるハンドシャワから湯水を吐出させ、それによって通常のシャワ導出状態とする一方、切換ハンドルを操作して複数の吐出部から湯水を吐出させ、それによってボディシャワ状態にできる多機能対応型シャワを提案している（特願２００２−１４７２５５号明細書・図面参照）。
【発明の開示】
【発明が解決しようとする課題】
【０００３】
しかしながら、複数の吐出部を保持する柱体は、浴室など屋内の壁面に支持された状態で水栓本体上に設置されるだけで、例えば庭など屋外に水栓があっても設置することはできず、使用勝手が悪かった。
【０００４】
この発明は、上述の事柄に留意してなされたもので、その目的は、使用勝手の良い多機能対応型シャワを提供することである。
【課題を解決するための手段】
【０００５】
上記目的を達成するために、この発明の多機能対応型シャワは、上シャワと、複数の吐出部を有するシャワ群と、シャワホースおよびシャワヘッドよりなるハンドシャワとを備えた中空の柱体が、水栓本体上に設置されるか、または、この水栓本体から離れた位置に設置されるよう構成されている多機能対応型シャワであって、水栓本体供給流路に連通する上シャワ供給流路、吐出部供給流路およびハンドシャワ供給流路の少なくとも三つの供給流路を前記柱体の内部に有するとともに、上シャワ供給流路および吐出部供給流路と水栓本体供給流路とを連通させる状態と、吐出部供給流路と水栓本体供給流路を連通させる状態と、ハンドシャワ供給流路と水栓本体供給流路を連通させる状態と、上シャワ供給流路と水栓本体供給流路を連通させる状態とに切換可能な流路切換手段を備えていることを特徴とする。
【発明の効果】
【０００６】
この発明では、流路切換手段を介して、中空の柱体の内部に設けた上シャワ供給流路、吐出部供給流路、ハンドシャワ供給流路に水栓本体供給流路を連通するだけで、上シャワと、複数の吐出部を有するシャワ群と、シャワホースおよびシャワヘッドよりなるハンドシャワとを備えた前記柱体を水栓本体から離れた位置に設置でき、使用勝手の良い多機能対応型シャワを提供できる。
【発明を実施するための最良の形態】
【０００７】
以下、この発明の実施形態を、図を参照しながら説明する。なお、それによってこの発明は限定されるものではない。
【０００８】
図１〜図６は、この発明の一実施形態を示す。図１〜図６において、多機能対応型シャワ１は、中空の柱体２と、この柱体２に上から順次設けられた上シャワ３、複数の吐出部４が縦一列に配列されてなるシャワ群５およびハンドシャワ６と、流路切換手段７とより主としてなる。前記柱体２は、図１に実線で示すように、上部が取り付け金具２ａを介して例えば浴室の壁面Ｗに支持されるとともに、この壁面Ｗに湯用偏心管８、水用偏心管９を介して取り付けられた湯水混合栓本体（以下、水栓本体という）１０上にスペーサ部材１１を介して下面Ｍが支持されている。前記柱体２は、水栓本体供給流路Ａに連通する上シャワ供給流路Ｂ、吐出部供給流路Ｃおよびハンドシャワ供給流路Ｄの三つの供給流路を内部に有するとともに、水栓本体供給流路Ａの下流側を内部に有する。前記水栓本体供給流路Ａは、適宜長さの可撓性のホース１３によって形成されている。また、ハンドシャワ６は、シャワホース６ａおよびシャワヘッド６ｂよりなり、ハンドシャワ供給流路Ｄはシャワホース６ａによって形成されている。多機能対応型シャワ１は水栓本体１０上に後付け設置されるものであり、設置前は、水栓本体１０の背面側に設けたシャワ用吐出口部１２にシャワホース６ａの上流端に設けた継手を接続することでハンドシャワ６へ水栓本体１０から湯水が供給される。そして、多機能対応型シャワ１の設置にあたっては、シャワホース６ａをシャワ用吐出口部１２から取り外し、代わりに、前記可撓性のホース１３の上流端に設けた継手１４をシャワ用吐出口部１２に接続する。この可撓性のホース１３は、適宜の長さのものを用いることができるので、図１に二点鎖線で示すように、水栓本体１０から離れた位置に柱体２を移動させ、床面Ｆに載置されたスタンド１４に多機能対応型シャワ１を支持させることもでき、使用勝手が良い。また、上シャワ供給流路Ｂ、吐出部供給流路Ｃもそれぞれ適宜長さの可撓性のホース１５によって形成されている。
【０００９】
前記流路切換手段７は、シート部材１７と弁体１８とから構成されている。シート部材１７は、上シャワ供給流路Ｂ、吐出部供給流路Ｃおよびハンドシャワ供給流路Ｄの上流端にそれぞれ切換可能に連通する連通穴１９，２０，２１を有する。弁体１８は、シート状で、前記三つの連通穴１９，２０，２１を流路切替に応じて閉塞する三つのボール２２（図４において斜線で図示した）を有する。また、弁体１８は、シート部材１７側にボール２２がそれぞれ嵌入する溝１８ａを有する。なお、２８，２９はボール２２の一部が嵌入可能なダミーの凹みである。また、前記可撓性のホース１３の下流端は前記三つの連通穴１９，２０，２１の上流側に常時連通されている一方、前記可撓性のホース１３の上流端は、上述したように前記水栓本体１０のシャワ用吐出口部１２に着脱自在に接続されている。更に、前記流路切換手段７は、上シャワ供給流路Ｂおよび吐出部供給流路Ｃと水栓本体供給流路Ａとを連通させる状態〔図４（Ａ）参照〕と、吐出部供給流路Ｃと水栓本体供給流路Ａを連通させる状態〔図４（Ｂ）参照〕と、ハンドシャワ供給流路Ｄと水栓本体供給流路Ａを連通させる状態〔図４（Ｃ）、図４（Ｄ）参照〕と、上シャワ供給流路Ｂと水栓本体供給流路Ａを連通させる状態〔図４（Ｅ）参照〕とに切換可能に構成されている。３０は、切換用の操作部材で、正面視十字形をなす。また、前記水栓本体１０は、正面向かって中央に吐水管３１を有するとともに、右側に吐水操作、止水操作、流量調整操作可能で、かつ、吐水管３１からの供給状態とシャワ用吐出口部１２からの供給状態に切り換え可能なハンドル３２を有し、また、左側に温調ハンドル３３を有する。したがって、ハンドル３２を吐水および流量調整するとともに、温調ハンドル３３を操作し、更に、ハンドル３２をシャワ用吐出口部１２からの供給状態に切り換えると湯水混合水が水栓本体供給流路Ａを流れる。後は、流路切換手段７を操作するだけで、使用者は、上シャワ３・吐出部５からの同時供給状態と、吐出部５からの供給状態と、ハンドシャワ６からの供給状態と、上シャワ３からの供給状態とのいずれかを選択できる。
なお、図７は、水栓本体１０の長手方向を上下の方向に沿わせた状態にして水栓本体１０を壁面Ｗに取り付けた例を示す。
【図面の簡単な説明】
【００１０】
【図１】この発明の一実施形態における二つの使用状態を同時に示す斜視図である。
【図２】上記実施形態における動作を示す構成説明図である。
【図３】（Ａ）は、上記実施形態で用いた流路切換手段を示す正面図である。（Ｂ）は、上記実施形態で用いた流路切換手段の弁体を示す背面図である。（Ｃ）は、上記実施形態で用いた流路切換手段のシート部材を示す正面図である。
【図４】上記実施形態で用いた流路切換手段によって切換わる異なる供給状態を示す図である。
【図５】上記実施形態を示す構成説明図である。
【図６】上記実施形態を示す要部構成説明図である。
【図７】この発明の他の実施形態を示す斜視図である。
【符号の説明】
【００１１】
１        多機能対応型シャワ
２        中空の柱体
３        上シャワ
４        複数の吐出部
６        ハンドシャワ
７        流路切換手段
１０      水栓本体
Ａ        水栓本体供給流路
Ｂ        上シャワ供給流路
Ｃ        吐出部供給流路
Ｄ        ハンドシャワ供給流路
【図１】
2005066153.tif 000003
【図２】
2005066153.tif 000004
【図３】
2005066153.tif 000005
【図４】
2005066153.tif 000006
【図５】
2005066153.tif 000007
【図６】
2005066153.tif 000008
【図７】
2005066153.tif 000009